(57)【要約】      （修正有）【課題】シート材の加工処理内容によれば、装置内部に備えた複数の切断刃のうち、一部の切断刃のみをシート材の切断に用いる場合であっても、この一部の切断刃及び他の切断刃の長寿命化を図ることが可能なシート材加工機を提供する。【解決手段】シート材加工機１５は、シート材を切断する複数の切断刃２２、２３と、前記複数の切断刃２２、２３のうち一部の切断刃２２または２３を用いてシート材を切断する場合に、シート材の切断に用いる切断刃２２または２３を、予め設定した所定条件に基づきシート材の切断に用いていない他の切断刃２３または２２に切り替えるよう制御する切断刃切替手段を備えている。【選択図】図２
2013248700.tif 000002
【特許請求の範囲】
【請求項１】
シート材を切断する複数の切断刃と、前記複数の切断刃のうち一部の切断刃を用いてシート材を切断する場合に、シート材の切断に用いる切断刃を、予め設定した所定条件に基づきシート材の切断に用いていない他の切断刃に切り替えるよう制御する切断刃切替手段とを備えたことを特徴とするシート材加工機。
【請求項２】
所定条件は、シート材の切断処理量、切断処理時間、切断日時または切断曜日の少なくともいずれかを含み、切断刃切替手段は、前記切断処理量が所定量に達したとき、切断処理時間が所定値に達したとき、切断日時が所定の日時に該当するとき、または切断曜日が所定の曜日に該当するときの少なくともいずれかの場合に切断刃を切り替えることを特徴とする請求項１に記載のシート材加工機。
【請求項３】
使用者の選択により、切断刃切替手段による切断刃の切替を、設定または解除可能に構成したことを特徴とする請求項１または請求項２に記載のシート材加工機。
【請求項４】
切断刃は、対向配置される一対の切断部材を有し、前記切断刃がシート材の切断に用いられないときには、前記一対の切断部材を相互に離間させる離間移動部を備えた請求項１乃至請求項３のいずれか一項に記載のシート材加工機。
【請求項５】
離間移動部は、切断刃がシート材の切断処理を行わない待機位置にあるとき一対の切断部材を相互に離間させることを特徴とする請求項４に記載のシート材加工機。
【請求項６】
離間移動部は、一方又は双方の切断部材を両切断部材が離間する方向に押圧する押圧部材を備えたことを特徴とする請求項５または請求項６に記載のシート材加工機。
【請求項７】
切断刃は、一対の切断部材が相互に圧接するよう付勢する付勢部を備え、押圧部材は、前記付勢部の付勢力に抗して切断部材を押圧することを特徴とする請求項６に記載のシート材加工機。
【請求項８】
シート材の切断位置と待機位置との間で切断刃を移動させる切断刃移動部が設けられ、押圧部材は、切断刃の待機位置近傍に固設され、切断刃移動部の切断刃の待機位置への移動によって一方又は双方の切断部材が押圧部材に押圧されることを特徴とする請求項６または請求項７に記載のシート材加工機。
【発明の詳細な説明】
【技術分野】
【０００１】
本発明は、シート材加工機に関する。
【背景技術】
【０００２】
シート材加工機に関し、下記特許文献１には、上回転刃と下回転刃とを擦り合わせることによって搬送方向に沿ってシート材を切断する切断装置が記載されている。この装置では、搬送方向に直行する方向に上回転刃と下回転刃をそれぞれ独立して移動させることで、両刃の圧接状態における圧接強さを調整できるようになっている。
【先行技術文献】
【特許文献】
【０００３】
【特許文献１】特開２００６−７３３８号公報
【発明の概要】
【発明が解決しようとする課題】
【０００４】
上記特許文献１に記載の装置では、上回転刃と下回転刃からなる切断刃が、装置内部に複数設置されている。この複数の切断刃のうち、一部の切断刃のみを継続してシート材の切断に用いた場合、この一部の切断刃のみ短期間のうち磨耗し、交換が必要となり、頻繁な機械の分解作業が必要となる。また、一部の切断刃のみを継続してシート材の切断に用いた場合、長い間切断に用いられなかった他の切断刃に錆びや鉄粉等が発生することがあり、再びシート材を切断した際にシート材を汚してしまうといった問題がある。
【０００５】
本発明の目的は、シート材の加工処理内容によれば、装置内部に備えた複数の切断刃のうち、一部の切断刃のみをシート材の切断に用いる場合であっても、この一部の切断刃及び他の切断刃の長寿命化を図ることが可能なシート材加工機の提供を目的とする。
【課題を解決するための手段】
【０００６】
上記課題を解決するため、本発明のシート材加工機は、シート材を切断する複数の切断刃と、前記複数の切断刃のうち一部の切断刃を用いてシート材を切断する場合に、シート材の切断に用いる切断刃を、予め設定した所定条件に基づきシート材の切断に用いていない他の切断刃に切り替えるよう制御する切断刃切替手段とを備えている。
【０００７】
また、前記構成において、所定条件は、シート材の切断処理量、切断処理時間、切断日時または切断曜日の少なくともいずれかを含み、切断刃切替手段は、前記切断処理量が所定量に達したとき、切断処理時間が所定値に達したとき、切断日時が所定の日時に該当するとき、または切断曜日が所定の曜日に該当するときの少なくともいずれかの場合に切断刃を切り替える。
【０００８】
そして、前記各構成において使用者の選択により、切断刃切替手段による切断刃の切替を、設定または解除可能に構成している。
【０００９】
更に、前記各構成において、切断刃は、対向配置される一対の切断部材を有し、前記切断刃がシート材の切断に用いられないときには、前記一対の切断部材を相互に離間させる離間移動部を備えた。
【００１０】
更に、前記各構成において、離間移動部は、切断刃がシート材の切断処理を行わない待機位置にあるとき一対の切断部材を相互に離間させる。
【００１１】
更に、前記各構成において、離間移動部は、一方又は双方の切断部材を両切断部材が離間する方向に押圧する押圧部材を備えている。
【００１２】
更に、前記各構成において、切断刃は、一対の切断部材が相互に圧接するよう付勢する付勢部を備え、押圧部材は、前記付勢部の付勢力に抗して切断部材を押圧する。
【００１３】
更に、前記各構成において、シート材の切断位置と待機位置との間で切断刃を移動させる切断刃移動部が設けられ、押圧部材は、切断刃の待機位置近傍に固設され、切断刃移動部の切断刃の待機位置への移動によって一方又は双方の切断部材が押圧部材に押圧される。
【発明の効果】
【００１４】
本発明によると複数の切断刃のうち一部の切断刃を用いてシート材を切断する場合に、シート材の切断に用いる切断刃を、予め設定した所定条件に基づきシート材の切断に用いていない他の切断刃に切り替えるよう制御する切断刃切替手段を備えたので、一部の切断刃のみを用いたシート材の切断が長時間継続されることなく、複数の切断刃を同程度使用するよう調整することができ、切断刃の長寿命化を図ることができる。
【００１５】
また、切断刃切替手段は、前記切断処理量が所定量に達したとき、切断処理時間が所定値に達したとき、切断日時が所定の日時に該当するとき、または切断曜日が所定の曜日に該当するときの少なくともいずれかの場合に切断刃を切り替える場合は、切断刃の切替時期を容易に判断することができる。
【００１６】
そして、使用者の選択により、切断刃切替手段による切断刃の切替を、設定または解除可能に構成した場合は、切断刃切替手段による切断刃の切替動作が行われないよう使用者が選択することが可能となり、使用者の好みの切断刃を、シート材の切断に使用し続けることができる。
【００１７】
そして、切断刃がシート材の切断に用いられないときには、一対の切断部材を相互に離間させる離間移動部を備えた場合は、切断刃がシート材の切断に用いられないときに一対の切断部材が接触することで磨耗するのを抑制することができ、切断部材の長寿命化を図ることができる。
【００１８】
更に、離間移動部は、切断刃がシート材の切断処理を行わない待機位置にあるとき一対の切断部材を相互に離間させる場合は、シート材の切断が行われない待機位置において、切断部材の無駄な接触を回避し、磨耗を抑制可能である。
【００１９】
更に、離間移動部は、一方又は双方の切断部材を両切断部材が離間する方向に押圧する押圧部材を備えた場合は、押圧部材により切断部材を押圧することで、該一対の切断部材を容易に離間させることができる。
【００２０】
更に、切断刃は、一対の切断部材が相互に圧接するよう付勢する付勢部を備え、押圧部材は、前記付勢部の付勢力に抗して切断部材を押圧する場合は、押圧部材によって切断部材を押圧することで両切断部材の付勢部による圧接を容易に解除することができる。
【００２１】
更に、シート材の切断位置と待機位置との間で切断刃を移動させる切断刃移動部が設けられ、押圧部材は、切断刃の待機位置近傍に固設され、切断刃移動部の切断刃の待機位置への移動によって一方又は双方の切断部材が押圧部材に押圧される場合は、シート材の切断に用いられない切断刃を待機位置へ移動すると同時に、一対の切断部材を相互に離間することができ、両切断部材を効率よく離間することが可能である。
【図面の簡単な説明】
【００２２】
【図１】本発明に係るシート材加工機の模式縦断面図である。
【図２】前記シート材加工機の切断加工機構を上流側から見た図である。
【図３】前記切断加工機構の切断刃の拡大断面図である。
【図４】前記切断刃を下流側から見た斜視図である。
【図５】前記切断刃の使用態様を示す図である。
【発明を実施するための形態】
【００２３】
［全体構成］  図１は、本発明の一実施形態のシート材加工機の模式断面図である。シート材加工機１は、加工機本体１０の両端に、供給トレイ１１１を有する供給部１１と、排出トレイ１２１を有する排出部１２とを備えている。供給部１１から排出部１２へは、搬送経路９が形成されている。搬送経路９は、シート材を搬送する搬送部２によって形成され、該搬送部２は、多数個のローラ対２１と、ローラ２１を回転駆動する搬送駆動部１４を備える。  
【００２４】
搬送部２は、シート材を、供給部１１から排出部１２へ向けて、矢印Ｓ方向に、搬送するようになっている。矢印Ｓが示す搬送方向において、供給部１１側を「上流側」と称し、排出部１２側を「下流側」と称する。そして、搬送経路９上には、供給部１１側から、第１加工機構３、第２加工機構４及び第３加工機構５が設けられている。これらは全て加工機本体１０に支持されている。  
【００２５】
第１〜第３加工機構３、４、５としては、例えば、シート材を切断する切断加工機構、シート材に折り型を形成する折り型加工機構、及びシート材にミシン目を形成するミシン目加工機構等を採用できる。これらの切断加工、折り型形成及びミシン目加工等は、シート材の搬送方向Ｓ、または搬送部２の搬送方向Ｓに直交する幅方向Ｗのいずれかに沿ってシート材を加工処理可能である。各加工機構３，４，５は、図１に示すように、加工機本体１０に構成された受容部１３に対して、着脱自在に構成されている。そして、本実施形態では、第１加工機構３として、搬送方向Ｓに沿ってシート材を切断する切断加工機構１５を採用している。
【００２６】
また、シート材加工機１は、全体の作動を制御する制御部６を加工機本体１０内に備えている。制御部６は、操作パネル７に接続したＣＰＵを有している。更に、シート材加工機１は、シート材の加工によって発生する切屑を収容するためのゴミ箱８を加工機本体１０内の底部に有している。    
【００２７】
［切断加工機構１５］図２は切断加工機構１５を搬送方向Ｓ上流側から見た正面図である。切断加工機構１５は、枠体１６、切断刃２２、２３、回転駆動部４１及び切断刃移動部５１を備える。枠体１６は、頂板１７、左右一対の側板１８,１９及び底板２０により構成される。頂板１７の上面には２個の取手２１が付いている。側板１８,１９は、頂板１７の両側から鉛直下方に向けて設けられている。
【００２８】
切断刃２２、２３は、左右一対設けられ、切断刃移動部５１により枠体１６内を幅方向Ｗに移動可能となっている。図３は、図２において右側に示す切断刃２３の内部構造を拡大して示している。図３に示すように、切断刃２３は、上下に対向配置される一対の切断部材２４を有する。本実施形態では、前記一対の切断部材２４は、上回転刃２６及び下回転刃２７により構成される。この上回転刃２６及び下回転刃２７は、双方とも円筒体の回転軸方向略中央部に円盤状のスリッター刃２８が設けられてなる（図４参照）。そして、切断刃２３は、この上回転刃２６と下回転刃２７の双方のスリッター刃２８を擦り合わせることによってシート材の切断を行う。
【００２９】
上回転刃２６は、箱状の上ホルダー３０に保持される。上ホルダー３０は、下部にスリッター刃２８の突出する開口部を有する。上ホルダー３０は、上回転刃２６の左右両端を軸受３１を介して回転自在に軸支する。上ホルダー３０の上部には、螺合部３２を設けている。該螺合部３２はねじ軸５２に螺合する。尚、このねじ軸５２は、切断刃移動部５１を構成し、左右側板１８、１９に架設される。上回転刃２６の回転中心には、回転軸４２が挿通される。この回転軸４２は、回転刃駆動部４１を構成する。回転軸４２の下部には長手方向に沿ってキー溝４３が上向きに凹んで形成されており、上回転刃２６に固定されたキー３３が、該キー溝４３に係合する。このキー３３及びキー溝４３により、上回転刃２６は、回転軸４２の長手方向である幅方向Ｗに沿って摺動自在であり、且つ回転軸４２の回転に伴い上回転刃２６が回転する。
【００３０】
下回転刃２７は、箱状で上部にスリッター刃２８の突出する開口部を有する下ホルダー３５に回転自在に保持されている。下回転刃２７の回転中心には、支持軸３６が挿通されている。支持軸３６は、下ホルダー３５に固定され、すべり軸受３７を介して下回転刃２７を軸支する。このすべり軸受３７によって、下回転刃２７は、支持軸３６に対し回転自在、かつ幅方向Ｗに摺動自在となっている。図３における下ホルダー３５の左壁内面と下回転刃２７の左側端面との間に付勢部３８を設けている。付勢部３８は、巻きばねにより構成される。該巻きばねは支持軸３６に挿通される。付勢部３８は、上回転刃２６と下回転刃２７との両スリッター刃２８が相互に圧接するよう、下回転刃２７を上回転刃２６に向けて付勢する。
【００３１】
下ホルダー３５は、上ホルダー３０に連結部４０によって連結されている。図４は、連結部４０を下流側から見た拡大斜視図である。連結部４０は上回転刃２６と下回転刃２７の圧接部２９の下流側で図４において上ホルダー３０の下面左部分と下ホルダー３５の上面右部分とを連結する。これより、下ホルダー３５は、上ホルダー３０に連結され、上ホルダー３０の幅方向Ｗへの移動に伴って幅方向Ｗに移動される。
【００３２】
そして、切断刃２２、２３は、図３に示す離間移動部６１を備えている。離間移動部６１は、左右いずれかまたは双方の切断刃２２、２３がシート材の切断に用いられないときに、一対の切断部材２４、即ち上回転刃２６と下回転刃２７とを相互に離間させる。離間移動部６１は、切断刃２２、２３がシート材の切断処理を行わない待機位置にあるとき一対の切断部材２４を相互に離間させる。この離間移動部６１は、押圧部材６２を備えている。押圧部材６２は、下方の切断部材２４を、上下切断部材２４が相互に離間する方向に押圧する。
【００３３】
図３に示す上流側から見て右側の離間移動部６１の押圧部材６２は、切断刃２３の待機位置近傍となる右側板１９に固設される。押圧部材６２は、下切断刃２７の設置高さと略同じ高さ位置で右側板１９より内方、即ち図３における左方に向けて棒状の部材が突出した構造を有する。下ホルダー３５には、前記押圧部材６２の対向位置に押圧用開口部６４が形成されている。ねじ軸５２の回転に伴い、上下ホルダー３０、３５が切断位置から待機位置へ移動すると、押圧用開口部６４に押圧部材６２が挿通され、そして、下回転刃２７の側面、図３においては右側面の下部に該押圧部材６２が接触し、付勢部３８の付勢力に抗して下回転刃２７を押圧する。これより、下回転刃２７は、付勢部３８による上回転刃２６への圧接が解除され、上回転刃２６から離間する。
【００３４】
図２において、左側に示す切断刃２２は、右側の切断刃２３と同じ構成を有しているが、左右の向きが対称的に設けられている。
【００３５】
図２において、回転駆動部４１は、１本の回転軸４２、ギア、ベルトなどの動力伝達機構４４及びモータ等の回転駆動源（図示省略）を備える。回転軸４２は左右側板１８、１９に架設され、左右双方の上回転刃２６の回転中心に挿通されている。動力伝達機構４４は右側板１９の外方に設けられる。回転駆動源は、加工機本体１０側に設置される。そして、切断加工機構１５が受容部１３に装着されたときに、回転駆動部４１の回転駆動源の駆動力が動力伝達機構４４に伝達され、回転軸４２を回転し、左右双方の上切断刃２２を同時に回転する。
【００３６】
切断刃移動部５１は、シート材の切断位置と待機位置との間で切断刃２２、２３を移動させる。この切断刃移動部５１は、２本のねじ軸５２、５３と、１本の上ガイド軸５４と、１本の下ガイド軸５５、左右一対のギア５７、５８及び２個の位置駆動源（図示省略）とを備える。前記ねじ軸５２、５３、上ガイド軸５４、下ガイド軸５５からなる４本の軸はいずれも左右の側板１８,１９間に架設される。２本のねじ軸５２、５３は、シート材の搬送方向上流側及び下流側に並設される。
【００３７】
上流側のねじ軸５２は、図２において左側の切断刃２２の螺合部３２が螺挿される。そして、この上流側のねじ軸５２は、左側板１８の外側に突出した端部に、ギヤ５７が設けられている。一方、下流側のねじ軸５３は、図２において右側の切断刃２３の螺合部３２が螺挿される。そして、この下流側のねじ軸５３の右側板１９から外側に突出した端部に、ギヤ５８が設けられている。モータ等の位置駆動源は、加工機本体１０側に設置される。切断加工機構１５が受容部１３に装着されたとき、左右のギア５７、５８が加工機本体１０側の２個の位置駆動源にそれぞれ連結される。そして、各位置駆動源の駆動によりギア５７、５８を介してねじ軸５２、５３がそれぞれ独立して所定量だけ回動され、切断刃２２、２３の上下ホルダー３０、３５を、切断を行うための所定位置に移動させ、停止させる。
【００３８】
シート材加工機１の制御部６は、シート材の加工内容によれば切断加工機構１５の複数の切断刃２２、２３のうち一部の切断刃２２または２３を用いてシート材を切断すればよい場合に、シート材の切断に用いる切断刃２２または２３を、予め設定した所定条件に基づきシート材の切断に用いていない他の切断刃２３または２２に切り替えるよう制御する切断刃切替手段６７を備えている。前記所定条件は、シート材の切断処理量、切断処理時間、切断日時、切断曜日の少なくともいずれかを含む。そして、切断刃切替手段６７は、切断処理量が所定量に達したとき、切断処理時間が所定値に達したとき、切断日時が所定の日時に該当するとき、または所定の曜日に該当するときの少なくともいずれかの場合に、切断刃２２または２３の切り替えを実行する。
【００３９】
この切断刃切替手段６７による切断刃２２、２３の切替は、使用者の選択により、設定または解除可能に構成される。操作パネル７には、切替条件設定部７１及び切替解除部７２が設けられる。切替条件設定部７１は、前記切断刃切替手段６７による切断刃２２、２３の切替を行うための所定条件を設定する。切替解除部７２は、切断条件設定部７１で設定された所定条件に該当するとき、切断刃切替手段６７が実際に、切断刃２２、２３の切替を実行するかどうかを設定または解除する。
【００４０】
上記構成のシート材加工機１は、次のように作動する。まず、供給トレイ１１１に積載されたシート材は、搬送部２により搬送経路９上を搬送される。次に、第１〜第３加工機構３、４、５で、使用者が操作パネル７を用いて設定を行った処理内容に適合するようシート材に加工処理が施され、排出トレイ１２１に排出される。その際、切断加工機構１５では、使用者が操作パネル７より設定を行ったシート材の加工内容によれば、左右双方の切断刃２２、２３を用いてシート材を切断する必要があるとき、制御部６は、位置駆動源を制御し、ギヤ５７、５８を介してねじ軸５２、５３をそれぞれ所定量だけ回転させる。これより、切断刃２２、２３の各上下ホルダー３０、３５は、待機位置からシート材の所定の切断位置に移動される。このようにして左右双方の切断刃２２、２３は、ともに切断を行うことができる状態となる。
【００４１】
その後、制御部６は、回転駆動源を駆動し、動力伝達機構４４を介して回転軸４２を回転し、左右双方の切断刃２２、２３の上回転刃２６を同時に回転する。上回転刃２６が回転することで、付勢部３８によりこの上回転刃２６に圧接されている下回転刃２７が従動回転する。
【００４２】
搬送経路９上を搬送され、切断加工機構１５に至ったシート材は、上回転刃２６と下回転刃２７の各スリッター刃２８が圧接され、擦り合わされる圧接部２９を通過する。その際、シート材は、幅方向Ｗの２箇所で搬送方向Ｓに沿って同時に切断され、下流側へ送られる。操作パネル７で設定された枚数のシート材が、切断刃２２、２３で切断加工された後、制御部６は、切断刃移動部５１を制御し、切断刃２２，２３を待機位置まで移動する。次のシート材の加工の指示がなされるまで、待機位置、例えばホームポジションで待機する。
【００４３】
左右双方の切断刃２２、２３の上下ホルダー３０、３５が切断刃移動部５１により各々待機位置へと移動されると、押圧部材６２が各々押圧用開口部６４に挿通される。そして、下回転刃２７の左右側板１８、１９側の端面に接触し、ねじ軸５２、５３が更に回転すると、下回転刃２７が押圧部材６２に押圧され、上回転刃２６から離間され、図５に示すように、上下回転刃２６、２７のスリッター刃２８の圧接が解除される。また、このように、左右双方の切断刃２２、２３をシート材の切断に用いない場合には、制御部６は、回転駆動源を駆動しないこととし、回転軸４２を回転しない。
【００４４】
一方、シート材の加工内容によれば、搬送方向Ｓに沿った切断が設定されておらず、左右双方の切断刃２２、２３を用いる必要がない場合には、制御部６は、位置駆動源を駆動せず、切断刃２２、２３の各上下ホルダー３０、３５を、シート材の切断処理を行わない待機位置で待機させる。
【００４５】
そして、シート材の加工内容によれば、複数の切断刃２２、２３のうち一部の切断刃２２または２３のみを用いてシート材を切断し、他の切断刃２３または２２をシート材の切断に用いないとき、制御部６は、複数の位置駆動源を各々個別に制御し、個々のねじ軸５２、５３の回動量を調整し、シート材の切断に用いる一部の切断刃２２または２３を切断位置に移動し、他の切断刃２３または２２を待機位置で待機させる。例えば、右側の切断刃２３をシート材の切断に用いることとし、左側の切断刃２２をシート材の切断に用いないこととする場合には、制御部６は、右側の切断刃２３の位置駆動源を必要量だけ駆動することで、右側の切断刃２３をシート材の所定の切断位置に移動し、左側の切断刃２２を待機位置で待機させる。そして、制御部６は、回転駆動源を駆動し、回転軸４２を回転する。
【００４６】
この回転軸４２の回転により、左右双方の切断刃２２、２３の上回転刃２６が回転し、切断位置にある右側の切断刃２３は、上回転刃２６の回転に伴い下切断刃２２が従動回転する。そして、右側の切断刃２３の上下回転刃２６、２７によって搬送部２により搬送されてきたシート材が搬送方向Ｓに沿って切断される。これに対し、待機位置にある左側の切断刃２２は、離間移動部６１の作用により上回転刃２６と下回転刃２７とが相互に離間され、圧接していない状態となっている。よって、待機位置にある左側の切断刃２２は、上回転刃２６が回転するが、下回転刃２７は停止している。このようにシート材の切断に用いられず待機位置にある切断刃２２は、離間移動部６１により上回転刃２６と下回転刃２７とが離間される。よって、上下回転刃２６、２７が圧接しなくなるので、上下回転刃２６、２７の長寿命化を図ることができる。
【００４７】
しかも、待機位置では、上回転刃２６と下回転刃２７が擦り合うこともない。したがって、上下回転刃２６、２７が擦り合うことによる騒音の発生を防止できる。更に、離間移動部６１は、切断刃２２、２３がシート材の切断処理を行わない待機位置にあるとき一対の切断部材２４を相互に離間させるので、シート材の切断が行われない待機位置において、切断部材の無駄な接触を回避し、磨耗を抑制可能である。
【００４８】
また、離間移動部６１は、下回転刃２７を上回転刃から離間する方向に押圧する押圧部材６２を備えたので、容易に上回転刃２６と下回転刃２７を離間させることができる。そして、切断刃２２、２３は、上回転刃２６と下回転刃２７とが相互に圧接するよう付勢する付勢部３８を備え、押圧部材６２は、この付勢部３８の付勢力に抗して切断部材２４としての下回転刃２７を押圧するので、押圧部材６２による下回転刃２７の押圧により上回転刃２６と下回転刃２７の圧接が容易に解除される。これより、上下回転刃２６、２７には圧接による負担は加わらない。それ故、上下回転刃２６、２７に圧接状態による負担が常に加わっている、という状態を解消できる。
【００４９】
また、シート材の切断位置と待機位置との間で切断刃２２、２３を移動させる切断刃移動部５１が設けられ、押圧部材６２は、切断刃２２、２３の待機位置近傍に固設され、切断刃移動部５１による切断刃２２、２３の待機位置への移動によって下回転刃２７が押圧部材６２に押圧されるので、シート材の切断に用いられない切断刃２２、２３を待機位置へ移動するのに伴って一対の切断部材２４を相互に離間することができ、非常に効率よく、両切断部材２４を離間することが可能である。
【００５０】
そして、例えば、このように左右一対ある切断刃２２、２３のうち右側の切断刃２３のみを用いてシート材を切断し、左側の切断刃２２をシート材の切断に用いない状態が所定量継続し、使用者が予め設定した所定条件を満たすこととなった場合には、制御部６の切断刃切替手段６７は、シート材の切断に用いる切断刃２３を、シート材の切断に用いていない左側の切断刃２２に切り替えるよう制御する。使用者は、操作パネル７の切替条件設定部７１より切断刃切替手段６７による切断刃２２、２３の切替を行うための所定条件を予め設定しておく。また、使用者は、切替解除部７２を用いて、前記切断刃切替手段６７による切断刃２２、２３の切替を、実際に行うかどうかを設定する。
【００５１】
例えば、使用者が、切替解除部７２により切断刃切替手段６７による切断刃２２、２３の切替を実行するよう設定したとする。また、切替条件設定部７１に、一部の切断刃２２または２３を用いたシート材の切断処理量が、１０００枚となったとき切断に用いていない他の切断刃２２に切り替えるよう設定したとする。この場合、制御部６は、右側の切断刃２３のみをシート材の切断に用い、左側の切断刃２２を切断に用いない状態でシート材を１０００枚処理したところで、搬送部２を一時的に停止してシート材の搬送を中断する。そして、切断刃移動部５１を制御して、右側の切断刃２３を待機位置に、左側の切断刃２２を切断位置にそれぞれ移動し、シート材の切断に用いる切断刃を右側の切断刃２３から左側の切断刃２２に切り替える。その後、制御部６は、搬送部２によるシート材の搬送を再開し、左側の切断刃２２を用いてシート材の切断を行う。
【００５２】
また、例えば、使用者が、切替条件設定部７１に、シート材の切断に用いる切断刃２２、２３の切替を、一部の切断刃２２または２３のみを用いたシート材の切断処理時間が、積算して３時間に達したときと設定したとする。この場合、制御部６は、右側の切断刃２３または左側の切断刃２２のいずれかのみを用いてシート材を切断した時間が積算して３時間に達したとき、搬送部２を制御してシート材の搬送を中断し、シート材の切断に用いる切断刃をシート材の切断に用いていない他の切断刃２３または２２に切り替える。
【００５３】
さらに、例えば、使用者が切替条件設定部７１に、シート材の処理枚数が所定枚数以下となる該シート材の切断処理を１セットとし、これを所定のセット数だけ実行したときには、シート材の切断に用いていない他の切断刃２２または２３に切り替えるよう設定したとする。即ち、例えば、左右いずれか一方の切断刃２２または２３のみを用い、１回のシート材の処理枚数が１００枚以下となる該シート材の切断処理を１０セット行ったときには、他の切断刃２２または２３に切り替えるよう使用者が設定したとする。
【００５４】
この場合、制御部６の切断刃切替手段６７は、左右いずれか一方のみの切断刃２２または２３を用いて、１００枚以下のシート材の切断処理を１セットとして、これを１０セット行ったところで、シート材の切断に用いる切断刃をシート材の切断に用いていなかった他の切断刃２３または２２に切り替えるよう制御する。このように、所定枚数以下といった所定範囲の切断処理の実行回数が、所定値に達したとき、切断刃２２、２３を切り替えるよう条件設定する場合には、制御部６が、切断に用いる切断刃２２、２３を切断に用いていなかった他の切断刃２３または２２を切り替えるタイミングを、所定範囲の切断処理の実行後、別の内容の切断処理を実行するときとすることができる。１セットの切断処理が終了したとき、制御部６は、毎回切断刃２２、２３をホームポジションに移動するので、効率よく切断刃２２，２３を切り替えできる。よって、切断刃２２、２３の切替のためだけに、各位置移動源を駆動する必要がなくなり、且つ、搬送部２によるシート材の搬送を中断する必要もなくなり、処理時間の短縮が可能である。
【００５５】
さらに、例えば、シート材の切断処理を行う時間帯を日中の作業時間のうち、９時から１２時までは、一部の所定の切断刃２２または２３を用いて切断を行い、１３時から１６までは、午前中にシート材の切断に用いていなかった他の切断刃２３または２２に切り替えて切断を行うなどとしてもよい。また、１ヶ月のうち、奇数日は一部の所定の切断刃２２または２３を用い、偶数日は、奇数日に用いていなかった他の切断刃２３または２２を用いることとしてもよい。そして、１週間のうち、月、水、金等の所定の曜日は一部の所定の切断刃２２または２３を用い、火、木、土等の他の曜日には、月、水、金の各曜日に用いていなかった他の切断刃２３または２２を用いることとしてもよい。
【００５６】
上記所定条件は、シート材の切断処理量、切断処理時間、切断日時または切断曜日を各々組み合わせて設定することも可能である。
【００５７】
以上のように、上記構成のシート材加工機１は、複数の切断刃２２、２３のうち一部の切断刃２２または２３を用いてシート材を切断する場合に、シート材の切断に用いる切断刃を、予め設定した所定条件に基づきシート材の切断に用いていない他の切断刃２３または２２に切り替えるよう制御する切断刃切替手段６７を備えたので、一部の切断刃２２または２３のみが長期に渡りシート材の切断に用いられることなく、複数の切断刃を略同程度シート材の切断に用いるよう調整することができる。よって、切断刃の長寿命化を図ることができ、切断刃２２、２３の交換時期を遅らせることができる。そして、一部の切断刃２２または２３のみを交換するために頻繁に切断加工機構１５の分解作業が必要となる事態が回避され、全ての切断刃を同時期に交換することが可能となり、メンテナンスが容易となる。更に、一部の切断刃２２または２３のみがシート材の切断に用いられ、他の切断刃２３または２２がシート材の切断に長期に渡り用いられないことで、切断刃２３または２２に錆びや鉄粉が発生し、再び切断に用いた際に切断刃２３または２２によりシート材を汚すといったこともない。
【００５８】
また、使用者が、切替条件設定部７１を用いて設定する切断刃を切り替えるための所定の条件は、シート材の切断処理量、切断処理時間、切断日時、切断曜日の少なくともいずれかを含み、切断刃切替手段６７は、前記切断処理量が所定量に達したとき、切断処理時間が所定値に達したとき、切断日時が所定の日時に該当するときまたは切断曜日が所定の曜日に該当するときの少なくともいずれかの場合に切断刃を切り替えるので、切断刃２２、２３の切替時期を容易に判断することができ、適正に切断刃２２、２３の切替を行うことができる。
【００５９】
使用者が切替解除部７２を用いて、上記のような切断刃切替手段６７による切断刃２２、２３の切替を解除することを選択した場合には、制御部６は、切断刃切替手段６７による切断刃２２、２３の切替動作を行わず、一部の切断刃２２または２３を用いたシート材の切断を継続する。これより、切替条件設定部７１で設定された所定条件に関わらず、使用者の好みの切断刃を、シート材1の切断に使用し続けることが可能となる。
【００６０】
尚、上記実施形態では、使用者の選択により、切断刃切替手段６７による切断刃の切替を、設定または解除可能に構成し、このため操作パネル７に切替解除部７２を設けたが、切断刃切替手段による切断刃の切替動作を解除できないように構成してもよい。また、操作パネル７に切替条件設定部７１を設け、切断刃２２、２３を切り替えるための所定の条件を、使用者が設定可能としたが、これに替えて切替条件設定部を設けないこととしてもよい。切替条件設定部を設けない場合には、切断刃切替手段は、使用者の設定ではなく、制御部に予め設定されている所定条件に基づいて切断刃の切替を行う。
【００６１】
また、切断刃２２、２３は、対向配置される一対の切断部材２４を有したが、切断部材２４を１個しか備えず、該１個の切断部材が受け部材等に突き当たるなどして、シート材を切断する構成としてもよい。また、一対の切断部材は、上回転刃２６及び下回転刃２７により構成されたが、本発明にかかるシート材加工機はこれに限定されず、切断部材の設置方向を上下に替えて横方向に対向するようにしてもよく、回転刃に替えてギロチンカッター等の平板状刃物を用いてもよい。
【００６２】
また、上記実施形態では、離間移動部６１を備えたが、該離間移動部を備えなくてもよい。そして、離間移動部は、切断刃が待機位置にあるとき一対の切断部材２４を相互に離間させたが、切断刃が切断位置にあるときに一対の切断部材を離間させる構成としてもよい。この場合、例えば、一対の切断部材は、シート材を切断可能な範囲内に留まったままで、搬送部によるシート材の搬送の妨げにならないよう離間移動部によってシート材の搬送面に対し直交する方向に一対の切断部材が離間される。
【００６３】
また、離間移動部は、一方の切断部材２４を両切断部材２４が離間する方向に押圧する押圧部材６２を備えたが、押圧部材は、双方の切断部材を押圧してもよい。また、離間移動部は、押圧部材に替えて、他の構成例えば一方又は双方の切断部材を揺動または昇降させるなどして両切断部材を離間されてもよい。また、切断刃は、一対の切断部材２４が相互に圧接するよう付勢する付勢部３８を備えたが、付勢部を設けない構成としてもよい。付勢部を設けない場合には、シート材の搬送速度及び切断刃の硬度、材質、形状等を、シート材を切断できるように調整すべきとなる。
【００６４】
また、切断刃移動部が設けられたが、該切断刃移動部を設けない構成としてもよく、例えば、複数の切断刃がシート材の幅方向Ｗの所定箇所に固定されていてもよい。この場合、シート材の幅方向の所望の位置で、該シート材を切断するには、切断刃の移動に替えて、シート材の搬送位置を幅方向に移動すればよい。また、押圧部材は、切断刃の待機位置近傍に固設されたが、他の位置でもよく、切断刃移動部の切断刃の待機位置への移動によって一方の切断部材２４が押圧部材６２に押圧されるよう構成したが、例えば、待機位置への移動なしに、押圧部材が一方又は双方の切断部材に向けて近接してこれらを押圧し、一対の切断部材を相互に離間させてもよい。
【００６５】
また、複数の切断刃２２、２３は、左右一対設けられ、幅方向Ｗに並設されたが、３個以上設けてもよく、搬送方向の上流側から下流側に沿って複数の切断刃を配置してもよい。そして、切断刃切替手段は、上流側のまたは下流側のいずれかの切断刃を他のいずれかの切断刃に、所定条件に基づいて切り替えてもよい。
【符号の説明】
【００６６】
１  シート材加工機
２２、２３  切断刃
２４  切断部材
５１  切断刃移動部
６１  離間移動部
６２  押圧部材
６７  切断刃切替手段
【図１】
2013248700.tif 000003
【図２】
2013248700.tif 000004
【図３】
2013248700.tif 000005
【図４】
2013248700.tif 000006
【図５】
2013248700.tif 000007